(57)【要約】【課題】廃棄物処分場における人工材料を用いたキャッピング層の透水係数を制御できるようにする。【解決手段】廃棄物１２を覆うキャッピング層２０は、ガス排除層２１、浸透防止層２２、排水層２３、及び盛り土によって形成された侵食防止層２４を含んでいる。ガス排除層２１は、不織布であるマット体でできている。浸透防止層２２は、シート材でできており、その垂直方向の透水係数は、１０−５ｃｍ／ｓのオーダーとされている。排水層２３は、立体的な構造の凹凸を有するシートでできている。浸透防止層２２の直上には、浸透防止層２２と接するようにして、雨水が浸透防止層２２を通過するのに必要な一定以上の時間、雨水を浸透防止層２２の上に止める不織布製の保水材２５が設けられている。【選択図】図２
2008093614.tif 000002
【特許請求の範囲】
【請求項１】
廃棄物処分場の廃棄物が投棄される凹面内に投棄された廃棄物の表面に設けられた、雨水の廃棄物への含浸を制限するための浸透防止層を含んでいるキャッピング層であって、
前記浸透防止層が、雨水の廃棄物への含浸を制限するのに適した垂直方向についての所定の透水係数を有するシート材によって形成されているとともに、
前記浸透防止層の直上の所定の範囲に、前記浸透防止層と接するようにして、水を保持する機能を有する保水材を配してなる、
キャッピング層。
【請求項２】
前記保水材は、織布又は不織布である、
請求項１記載のキャッピング層。
【請求項３】
前記保水材が、前記キャッピング層の全範囲に配されている、
請求項１記載のキャッピング層。
【請求項４】
前記浸透防止層の垂直方向の透水係数が１０−５ｃｍ／ｓのオーダーである、
請求項１記載のキャッピング層。
【請求項５】
前記保水材は、前記キャッピング層の部分により、保水性能が異なるものが配されている、
請求項１〜４のいずれかに記載のキャッピング層。
【請求項６】
前記キャッピング層のうち、垂直方向の透水係数をより大きくしたい部分に対応する部分には、他の部分よりも保水性能に優れた前記保水材が配されている、
請求項５記載のキャッピング層。
【請求項７】
廃棄物処分場の廃棄物が投棄される凹面内に投棄された廃棄物の表面に設けられた、前記廃棄物の表面を覆う、廃棄物から発生したガスを抜くためのガス排除層と、前記ガス排除層の表面を覆う、雨水の廃棄物への含浸を制限するための浸透防止層と、前記浸透防止層の表面を覆う、雨水の排水を行うための排水層と、前記排水層の表面を覆う、前記排水層、前記浸透防止層、前記ガス排除層を保護する侵食防止層と、を含んでいるキャッピング層の製造方法であって、
前記浸透防止層を、雨水の廃棄物への含浸を制限するのに適した垂直方向についての所定の透水係数を有するシート材によって形成するとともに、
前記浸透防止層の直上の所定の範囲に、前記浸透防止層と接するようにして、水を保持する機能を有する保水材を配する、
キャッピング層の製造方法。
【発明の詳細な説明】
【技術分野】
【０００１】
本発明は、廃棄物投棄用の凹面に投棄された廃棄物の表面を覆い、投棄された廃棄物に染み込む雨水を制御する、いわゆるキャッピングの技術に関する。
【背景技術】
【０００２】
廃棄物処分場は、地面を掘り下げ、或いは擁壁を構築するなどして設けられた凹面を備えている。廃棄物は、この凹面に順次投棄される。
【０００３】
ところで、廃棄物処分場では、凹面内に投棄された廃棄物に雨水が含浸することによって生じる浸出水が、凹面から外部の土壌に漏水しないようにする必要がある。浸出水には廃棄物に含まれていた好ましくない物質が含まれている可能性があるからである。
浸出水の漏水防止のために最も汎用されているのが、凹面の表面全体に遮水シートを敷設する技術である。合成樹脂やゴム製の高い遮水性能を有する遮水シートを凹面の全体に敷設することによって、浸出水の外部への漏水を防止するのである。
しかしながら、このような遮水シートがあると、廃棄物に含浸した雨水は、浸出水として外部に漏れ出すことなく遮水シートによって覆われた凹面の内側に溜まることになる。したがって、現存する廃棄物処分場では、凹面に溜まった浸出水を外部へ、必要に応じて浄化してから排出する水処理設備が必要になり、コスト高の問題を招いている。
【０００４】
他方、浸出水の発生自体を防止するための技術も提案されている。例えば、凹面に投棄された廃棄物の表面を、多くの場合は廃棄物をこれ以上投棄しないということが明らかになった段階でキャッピング層により覆う、キャッピングと呼ばれる技術が提案されている。
この技術は、廃棄物の内部に雨水が含浸することを防止することによって、浸出水の発生を防止するものであり、それなりの効果をあげている。しかしながら、この技術にも改良すべき点が存在する。
【０００５】
従来のキャッピングは、浸出水発生を防止するという観点から、廃棄物の内部に雨水が含浸することをできる限り防止することを目標としてきた。しかしながら、近年の研究で、浸出水の外部への排出のための手間やコストが過大にならない範囲であれば、多少の雨水を廃棄物の内部へ含浸させた方が好ましい結果を生む場合があることが明らかになってきた。廃棄物の中には、生ゴミなどの有機物が多く含まれており、そこに適度な雨水を加えてやると、有機物の分解が促進され、廃棄物が早期に安定化するのである。
【０００６】
したがって、近年、キャッピングの技術では、雨水の廃棄物への含浸の防止をできる限り行おうという思想ではなく、雨水の廃棄物への含浸をどれだけ意図したように制御できるかという思想が重視されるようになって来ている。
しかしながら、雨水の廃棄物への含浸の程度を制御するのは難しい。特に、それは、後述するような新タイプのキャッピング層を用いた場合に顕著となる。
【０００７】
現行法下では、廃棄物の上に設けられるキャッピング層は、廃棄物の直上から順に、ガス排除層、浸透防止層、排水層、侵食防止層が順に積層して設けられることとなっている。ここで、ガス排除層は、廃棄物から発生したガスを抜くためのものであり、浸透防止層は、雨水の廃棄物への含浸を制限するためのものであり、排水層は、雨水の排水を行うための層である。侵食防止層は、排水層の上に設けられるものであり、排水層以下の層を守るためのものである。
これらガス排除層、浸透防止層、排水層、侵食防止層の各層は、以前は、土砂や砂利、或いはベントナイトなどの土質系材料を用いて作られるのが一般的であった。しかしながら、近年は、キャッピング層を薄くすることによる廃棄物処分場の凹面の有効面積増大を狙って、シート状等にされた人工材料によりこれら各層のうちの少なくとも一つを構成することが提案されている。このような、人工材料を用いた新タイプのキャッピング層では、雨水の廃棄物への含浸の程度を制御することが特に難しくなる。
【０００８】
かかる新タイプのキャッピング層では、他の層はともかく、浸透防止層を人工材料によるシート材で構成することが普通である。浸透防止層は上述したように、雨水の廃棄物への含浸を制限するものであり、その部分に、その性能を制御するのが難しい天然物ではなく人工材料のシート材を用いることで、雨水の廃棄物への含浸の程度の正確な制御を実現しようとしている。
かかるシート材の水を通過させる特性は、ｃｍ／ｓという単位で表される透水係数という数値で表される。透水係数は、対象となるシート材が、１秒間に単位面積あたりで、どれだけの水を通過させるものであるかということを表す。
しかし、透水係数の異なるシート材を浸透防止層に用いても、キャッピング層の透水係数が意図したとおりにならない場合がある。より詳しくは、浸透防止層を形成するシート材の透水係数の割には、キャッピング層全体の透水係数が大きくならない場合がある。
【発明の開示】
【発明が解決しようとする課題】
【０００９】
本発明は、浸透防止層を人工材料で形成した廃棄物処分場に設けられるキャッピング層の透水係数を、意図したように制御するための技術を提案することをその課題とする。
【課題を解決するための手段】
【００１０】
上述の課題を解決するための本願発明は、以下のようなものである。
本願発明は、廃棄物処分場の廃棄物が投棄される凹面内に投棄された廃棄物の表面に設けられた、雨水の廃棄物への含浸を制限するための浸透防止層を含んでいるキャッピング層である。
このキャッピング層における前記浸透防止層は、雨水の廃棄物への含浸を制限するのに適した垂直方向についての所定の透水係数を有するシート材によって形成されている。
そして、このキャッピング層では、前記浸透防止層の直上の所定の範囲に、前記浸透防止層と接するようにして、水を保持する機能を有する保水材を配している。
【００１１】
かかるキャッピング層が、その透水係数を意図したとおりに制御できる理由について、従来のキャッピング層がその透水係数を意図したとおりに制御し難いものであった理由とともに、以下、説明する。
本発明のキャッピング層は、上述したように、浸透防止層を備えている。
浸透防止層は、上述したように、雨水の廃棄物への含浸を制限するのに適した垂直方向についての所定の透水係数を有するシート材によって形成されている。浸透防止層の垂直方向の透水係数は、遮水を意味する１０−9ｃｍ／ｓのオーダーよりも大きくてもよく、例えば、１０−５ｃｍ／ｓのオーダーとすることができる。
浸透防止層をシート材で形成することは以前から提案されていたので、ここまでは、従来のキャッピング層と本発明のキャッピング層の間にそれほど大きな差はない。ところで、浸透防止層を形成するシート材の透水係数は、そのシート材の上にある水が静止した状態で測定、判断される。簡単にいうと、水槽の底を抜きそこに浸透防止層を形成するのに用いられるシート材を水漏れしないような状態で配し、その状態で水槽に入れた水が、単位時間あたりどの程度の量だけそのシート材を通過して下方に抜けたかということを測定し、その水の量をシート材の面積で割ることにより、そのシート材の透水係数が測定、判断される。
しかしながら、実際の廃棄物処分場では、浸透防止層を形成するシート材は幾らか傾斜している。したがって、実際の廃棄物処分場では、浸透防止層を形成するシート材の上にある雨水は、ある程度の速さで移動している（流れている）。これが、シート材の持っている本来の透水係数が実際の廃棄物処分場では正しく表れない理由であることに、本願発明者は気付いた。つまり、そもそもそれほど大きな透水係数を持たず、雨水を通過させるのにある程度の時間を要するものとされている浸透防止層を形成するシート材は、その上にある程度の時間止まることなく流れていってしまう雨水を、透水係数に基づいて予想される量までは下方に通過させられないのである。
このような知見により、本発明のキャッピング層では、前記浸透防止層の直上の所定の範囲に、前記浸透防止層と接するようにして、水を保持する機能を有する保水材を配することとしている。ここで、上述の保水材は、雨水を保持できるものであり、それにより、浸透防止層の上にある雨水が一定以上の速さで流れていくのを阻止できるものであれば、別の言葉でいえば、浸透防止層の上にある雨水を一定時間以上足止めできるものであればそれで十分である。本願発明のキャッピング層は、このような保水材を設けることにより、浸透防止層の上の少なくとも所定の範囲で、雨水を、浸透防止層を形成するシート材を通過できるだけの十分な時間足止めし、そのシート材の透水係数から予定されていただけの十分な雨水を廃棄物へ導くことができるようになる。
なお、保水材は、キャッピング層の全体に設けられていてももちろん構わない。
前記保水材は、例えば、織布、或いは不織布とすることができる。これらの組合せとすることも可能である。
前記保水材は、前記キャッピング層の部分により、異なるものとすることができる。例えば、前記保水材は、前記キャッピング層の部分により、保水性能が異なるものが配されるようにすることができる。また、前記キャッピング層のうち、垂直方向の透水係数をより大きくしたい部分に対応する部分には、他の部分よりも保水性能に優れた前記保水材が配されていてもよい。キャッピング層の垂直方向の透水係数を大きくしたい部分に保水性能により優れた保水材を配すると、その部分では浸透防止層の上で水がより長い時間足止めされることになる。それにより、その部分のキャッピング層の垂直方向の浸透係数が大きくなる。
【００１２】
本発明のキャッピング層は、従来の場合と同様に、浸透防止層のみならず、ガス排除層、排水層、侵食防止層の一つ以上を備えていても構わない。むしろ、現行法下でキャッピング層を製造するのであれば、本発明のキャッピング層はガス排除層、排水層、侵食防止層をすべて備えたものとなるであろう。この場合、本発明のキャッピング層は、廃棄物の表面を覆う、廃棄物から発生したガスを抜くためのガス排除層と、ガス排除層の表面を覆う、雨水の廃棄物への含浸を制限するための浸透防止層と、浸透防止層の表面を覆う、雨水の排水を行うための排水層と、排水層の表面を覆う、排水層、浸透防止層、ガス排除層を保護する侵食防止層とを備えるものとなる。
また、浸透防止層以外の層、ガス排除層、排水層は、土質系の材料でこれを構成することもできるが、人工材料により構成することもできる。ガス排除層、排水層は、例えば、人工材料をシート状にしたシート材で構成することができる。
本発明の排水層は、その上に溜まった雨水を略水平方向に排水できるようにされ、且つその上に溜まった雨水をその下に落とすための複数の孔が穿設された、水を保持しない素材（例えば、樹脂）により形成されたシート材により形成することができる。排水層が有する、その上に溜まった雨水を略水平方向に排水できるようにする機能は、排水層の基本的な機能であり、廃棄物へ雨水が多く含浸しすぎるのを防ぐための機能である。この機能と、浸透防止層を形成するシート材の透水係数の兼ね合いで、キャッピング層全体の透水係数が決まってくる。なお、排水層を形成するシート材は、その表面に設けられた凹凸の間の溝の部分を通過させることにより雨水を外部へ排出できるように、エンボス加工などで凹凸を付されていてもよい。なお、排水層には、孔が適当な数だけ穿たれていてもよい。かかる孔は排水層の上の雨水を下の層に落とすための物である。この孔の数、大きさを適当に調整することで、安定化のために廃棄物へ導くべき雨水を、適当な量だけ、排水層の下の浸透防止層へと導くことができるようになる。排水層に孔を設ける代わりに、排水層の透水係数をある程度大きくして、排水層の上の雨水を排水層の下の浸透防止層に導くようにすることも考えられるが、透水係数のみでシート材を通過する雨水の量を決定することが難しいのは排水層においても浸透防止層の場合と同様である。このようなことを考慮すれば、雨水の迅速な排水を達成するためにも、排水層は、水を保持しない、例えば吸水性のない素材（樹脂等）により形成するのが現実的であろう。なお、排水層には、その上にある雨水がその表面を流れて排水されるようにするのが好ましい。また、排水層と同様に、浸透防止層にも傾斜が与えられることが好ましい。
ガス排除層は、上述したように人工材料により形成でき、また、シート状のシート材とすることもできる。より具体的には、ガス排除層は、排水層と同じ様に、凹凸を有するシート材とすることができる。
【００１３】
本発明は、以下のようなキャッピング層の製造方法を提案する。以下の製造方法で製造したキャッピング層は、上述のキャッピング層と同様の効果を得られることとなる。
本発明のキャッピング層の製造方法は、廃棄物処分場の廃棄物が投棄される凹面内に投棄された廃棄物の表面に設けられた、前記廃棄物の表面を覆う、廃棄物から発生したガスを抜くためのガス排除層と、前記ガス排除層の表面を覆う、雨水の廃棄物への含浸を制限するための浸透防止層と、前記浸透防止層の表面を覆う、雨水の排水を行うための排水層と、前記排水層の表面を覆う、前記排水層、前記浸透防止層、前記ガス排除層を保護する侵食防止層と、を含んでいるキャッピング層の製造方法である。
この製造方法では、前記浸透防止層を、雨水の廃棄物への含浸を制限するのに適した垂直方向についての所定の透水係数を有するシート材によって形成するとともに、前記浸透防止層の直上の所定の範囲に、前記浸透防止層と接するようにして、水を保持する機能を有する保水材を配する。
【発明を実施するための最良の形態】
【００１４】
以下、本発明の好ましい一実施形態を、図面を参照しながら説明する。
【００１５】
この実施形態では、図１に示したような廃棄物処分場に、キャッピング層を作る。
この廃棄物処分場は、廃棄物投棄用の凹面１０を備えている。この凹面１０には、その全面に遮水層１１が設けられている。遮水層１１は、凹面１０の内部に含浸した雨水が凹面１０の外部へ漏れ出すのを防止するためのものである。この実施形態では、遮水層１１は、遮水性能を有する樹脂製のシートによって形成されている。かかるシートの厚さはこの実施形態では３ｍｍであるが、この厚さは、１〜５ｍｍ程度の範囲で適当に選択される。遮水層１１を形成するシートの垂直方向の透水係数は、１０−９ｃｍ／ｓのオーダー、或いはそれ以下のオーダーとされる。
凹面１０には廃棄物１２が投棄されている。この実施形態における廃棄物１２は、これには限られないが、焼却灰、粗大ごみ、生ごみを含んでいる。
この実施形態における廃棄物処分場は、予定された容量分の廃棄物１２が既に投棄されており、後は廃棄物１２の安定化を図ればよい状態となっている。廃棄物１２は、安定化の過程で腐敗し、ガス、場合によっては有毒のガス（例えば、硫化水素）を生じる可能性もある。
この実施形態では、このような廃棄物処分場に対してキャッピングを行って、廃棄物１２の表面を覆うキャッピング層を形成する。
【００１６】
図２に、キャッピング層２０が構成された廃棄物処分場の縁部を図示する。
キャッピング層２０は、下側から、ガス排除層２１、浸透防止層２２、排水層２３、及び侵食防止層２４を含んで構成されている。また、浸透防止層２２と、排水層２３の間には、保水材２５が配されている。キャッピング層２０は、廃棄物１２の上に、ガス排除層２１、浸透防止層２２、保水材２５、排水層２３、及び侵食防止層２４を順に敷設することによって形成される。
この実施形態では、必ずしもそうである必要はないが、ガス排除層２１、浸透防止層２２、排水層２３をともに、人工材料をシート状に形成してなるシート材によって構成している。
なお、この実施形態では、キャッピング層２０に含まれるガス排除層２１、浸透防止層２２、排水層２３、保水材２５はすべて、廃棄物１２の全面を覆うようになっている。ただし、本願発明はこれに限定されるものではなく、ガス排除層２１、浸透防止層２２、排水層２３、保水材２５のうちの１つ、或いは２つが部分的に存在しない部分があってもよい。
【００１７】
ガス排除層２１は、廃棄物１２の表面を覆うものであり、廃棄物１２から発生したガスを抜く機能を有する。ガス排除層２１は、その内部をガスが通過できるような空隙を有するものとされる。
ガス排除層２１の端部は、外気に対して露出するようにされており、ガス排除層２１の内部を通って来た廃棄物１２から発生したガスは、その端部から外気に放出されるようになっている。そのため、ガス排除層２１の端部の少なくとも一部は、外部に臨むようになっている。
この実施形態では、廃棄物１２内でガスの圧が高まったときに、そのガスがガス排除層２１を通して自然に外気に対して放出されるようになっている。なお、必ずしも必要はないが、ガス排除層２１に、例えば多数の孔がその一端側の側面に穿たれた有口管の上記一端側を差込むとともに、その有口管の他端を外気に対して開放することで、有口管を介してガス排除層２１に溜まったガスを外気に放出するようにしてもよい。また、この有口管の他端にポンプを接続し、このポンプを介してガス排除層２１内部のガスを引くことで、ガスをガス排除層２１から強制的に外気に放出するようにすることもできる。
【００１８】
ガス排除層２１は、具体的には、図３、図４に示したようなものとすることができる。
図３は、ガス排除層２１を作るときに用いる人工材料の一例であるマット体３０の例を示したものである。
このマット体３０は、繊維をマット状に成形して構成される。このマット体３０は、その全体が不織布でできていても構わないが、この実施形態では、織布である補強基布３１を反毛フェルト３２で挟んだ構成となっている。補強基布３１と反毛フェルト３２は、互いに溶着されている。補強基布３１は、マット体３０の強度を上げるためのものである。補強基布３１は、ポリプロピレン製のものである。マット体３０の厚さは、１〜２ｃｍ程度となっている。
図４は、ガス排除層２１を作るときに用いる人工材料の一例である立体構造体４０の例を示したものである。この立体構造体４０は、略水平方向にガスを移動させられるような所定の凹凸パターンをエンボス加工によって成形された遮水性を有する樹脂でできた薄板４１を有している。なお、この凹凸パターンは、後述するように、略水平方向に排水を移動させられるようなものでもある。この実施形態では、立体構造体４０の所定の箇所に所々小孔４１Ａを穿設している。この小孔４１Ａは、ガス排除層２１にガスを導くためのものである。この実施形態では、立体構造体４０の厚さは、１〜２ｃｍ程度となっている。
なお、ガス排除層２１は、天然材料によって構成することもできる。例えば、砂利を用いてガス排除層２１を構成することができる。この場合、ガスは、砂利の間を通って外部へ排出される。
【００１９】
上述のマット体３０又は立体構造体４０を、廃棄物１２の表面に敷設することにより、ガス排除層２１が作られる。
なお、ガス排除層２１は、マット体３０と立体構造体４０の一方によって形成されていてもよいが、部位によりこれらを使い分けて、これらの双方を用いて形成されていてもよい。この実施形態では、マット体３０のみによりガス排除層２１を形成することとする。
【００２０】
次に、浸透防止層２２について説明する。
浸透防止層２２は、雨水の廃棄物１２への含浸を制限する機能を有しており、ガス排除層２１の上に設けられている。浸透防止層２２は、垂直方向の透水係数が１０−５ｃｍ／ｓのオーダーとされている。この実施形態では、浸透防止層２２の垂直方向の透水係数は７．７×１０−５ｃｍ／ｓとされている。なお、この実施形態における浸透防止層２２は、必ずしもそうなっている必要はないが通気性を持っている。この浸透防止層２２の通気量は必ずしもこの限りではないが、この実施形態では、１０００ｍ３／ｍ２／２４ｈとなっている。
浸透防止層２２は、この実施形態では、三層構造のシート材により形成されている。このシート材は、ポリエチレン製の不織布を、両面からポリプロピレン製の不織布によって挟み込んだものとされている。ポリエチレン製の不織布と、ポリプロピレン製の不織布は互いに溶着されている。雨水の廃棄物１２への含浸を制限する機能は主に中心のポリエチレン製の不織布によって得られる。両側のポリプロピレン製の不織布は、主に、補強の役割を果たす。
【００２１】
このシート材をガス排除層２１の上に敷設することで、浸透防止層２２を形成する。なお、浸透防止層２２は複数のシート材を組合わせて形成されることが多いが、その場合には隣り合うシート材の端部同士を、水密となるように接続する。
【００２２】
次に、排水層２３について説明する。排水層２３は、浸透防止層２２の表面を覆うものであり、雨水の排水を行う機能を有する。排水層２３は、雨水の透過を制限する浸透防止層２２の上に溜まった雨水を排水する。排水層２３の端部の所々には、外気に対してその一端が連通されている連通管２３Ａが設けられている。排水層２３の中を流れてきた雨水は、この連通管２３Ａを介して外部に排出される。なお、廃棄物処分場の外部には、連通管２３Ａから排出された雨水を外部に流すための溝２３Ｂが設けられている。
この実施形態における排水層２３は、この実施形態では、上述した立体構造体４０にて構成されている。排水層２３として立体構造体４０が用いられる場合、立体構造体４０に設けられた上述の小孔４１Ａがあると、雨水は排水層２３を通過し易くなる。適当に小孔４１Ａを設けることで、雨水の廃棄物１２への到達量を制御できる。この制御をより適切に行うため、排水層２３に用いる立体構造体４０と、ガス排除層２１に用いる立体構造体４０とは、小孔４１Ａの径や数に関して異なるものとすることができる。
【００２３】
侵食防止層２４は、排水層２３の表面を覆っている。侵食防止層２４は、排水層２３、浸透防止層２２、ガス排除層２１を保護する機能を有している。この実施形態における侵食防止層２４は土であり、排水層２３の上に盛り土することによって形成される。
侵食防止層２４は、その表面に植樹等することが可能であり、そのようにすることにより、廃棄物処分場の美観を良好なものにするにも寄与する。
【００２４】
最後に保水材２５について説明する。
保水材２５は、この実施形態では、浸透防止層２２と排水層２３の間に設けられる。保水材２５は、この実施形態では、キャッピング層２０の全範囲に存在している。
保水材２５は、排水層２３を形成する立体構造体４０に設けられた上述の小孔４１Ａを通過して浸透防止層２２の上に溜まった雨水を保持する機能を有している。それにより、雨水は、浸透防止層２２を通過できるだけの時間、浸透防止層２２を形成するシート材の上に止まることになる。
この実施形態における保水材２５は、必ずしもその限りではないが、不織布でできている。保水材２５は、上述した排水層２３を形成する前に、浸透防止層２２に接するようにしながら、浸透防止層２２の全面を覆うように敷き詰められ、それにより層状とされる。なお、保水材２５は、織布により形成されていてもよい。
保水材２５は、キャッピング層２０のすべての部分で同じように構成されている必要はない。例えば、キャッピング層２０の各部分によって、保水性能等が異なるものが用いられてもよい。不織布である保水材２５は、例えば、それを構成する繊維の太さ、繊維の密度の少なくとも一方を変化させることにより、或いは保水材２５の厚さを変化させることにより、その保水性能を変化させることができる。この実施形態では、キャッピング層２０のうち、垂直方向の透水係数をより大きくしたい部分に対応する部分に配される保水材２５ほど、保水性能が優れたものになるようにしている。
【図面の簡単な説明】
【００２５】
【図１】本発明の一実施形態によるキャッピング層が設けられる廃棄物処分場の一例を示す側断面図。
【図２】図１に示した廃棄物処分場にキャッピング層を設けた場合における廃棄物処分場の縁部を概略的に示す側断面図。
【図３】図２で示したキャッピング層のマット体の構成を示す斜視図。
【図４】図２で示したキャッピング層の立体構造体の構成を示す斜視図。
【符号の説明】
【００２６】
１０  凹面
１１  遮水層
１２  廃棄物
２０  キャッピング層
２１  ガス排除層
２２  浸透防止層
２３  排水層
２４  侵食防止層
２５  保水材
【図１】
2008093614.tif 000003
【図２】
2008093614.tif 000004
【図３】
2008093614.tif 000005
【図４】
2008093614.tif 000006